(57)【要約】【課題】未使用回線が存在する場合でもパケット転送の効率化およびパケット網の帯域有効利用を達成できる伝送装置および伝送制御方法を提供する。【解決手段】時分割多重された複数回線を収容したパケットを伝送する装置であって、送信先の伝送装置（２０）との間で使用されない回線に関する未使用回線情報を格納する未使用回線情報格納部（１０２）と、未使用回線情報を参照して受信したパケットから未使用回線を削除することで受信側伝送装置（２０）へ送信する圧縮パケットを生成する未使用回線削除部（１０１）と、を有する。【選択図】図３
2011234162.tif 000002
【特許請求の範囲】
【請求項１】
時分割多重された複数回線を収容したパケットを伝送する装置であって、
送信先の伝送装置との間で使用されない回線に関する未使用回線情報を格納する未使用回線情報格納手段と、
前記未使用回線情報を参照して、受信したパケットから未使用回線を削除することで前記送信先伝送装置へ送信する圧縮パケットを生成する未使用回線削除手段と、
を有することを特徴とする伝送装置。
【請求項２】
前記未使用回線情報は送信先伝送装置ごとに予め設定された未使用回線を示す情報であることを特徴とする請求項１に記載の伝送装置。
【請求項３】
前記未使用回線情報は、疑似回線エミュレーション装置間で設定された回線情報に基づいて決定されることを特徴とする請求項１または２に記載の伝送装置。
【請求項４】
時分割多重された複数回線を収容したパケットを伝送する装置であって、
送信元の伝送装置との間で使用されない回線に関する未使用回線情報を格納する未使用回線情報格納手段と、
送信元の伝送装置から受信したパケットが前記未使用回線を削除されたパケットであれば、前記未使用回線情報を参照して当該受信パケットから削除された未使用回線のデータを復元することで規格に準拠したパケットを生成する未使用回線復元手段と、
を有することを特徴とする伝送装置。
【請求項５】
前記未使用回線情報は、疑似回線エミュレーション装置間で設定された回線情報に基づいて決定されることを特徴とする請求項４に記載の伝送装置。
【請求項６】
時分割多重された複数回線を収容したパケットを伝送する伝送装置における伝送制御方法であって、
送信先の伝送装置との間で使用されない回線に関する未使用回線情報を未使用回線情報格納手段に格納し、
前記未使用回線情報を参照して、受信したパケットから未使用回線を削除することで前記送信先伝送装置へ送信する圧縮パケットを生成する、
ことを特徴とする伝送制御方法。
【請求項７】
時分割多重された複数回線を収容したパケットを伝送する装置における伝送制御方法であって、
送信元の伝送装置との間で使用されない回線に関する未使用回線情報を未使用回線情報格納手段に格納し、
送信元の伝送装置から受信したパケットが前記未使用回線を削除されたパケットであれば、前記未使用回線情報を参照して当該受信パケットから削除された未使用回線のデータを復元することで規格に準拠したパケットを生成する、
ことを特徴とする伝送制御方法。
【請求項８】
時分割多重された複数回線を収容したパケットを送信側伝送装置から受信側伝送装置へ伝送するシステムであって、
前記送信側伝送装置が、
前記受信側伝送装置との間で使用されない回線に関する送信側未使用回線情報を格納する送信側未使用回線情報格納手段と、
前記送信側未使用回線情報を参照して、受信したパケットから未使用回線を削除することで前記受信側伝送装置へ送信する圧縮パケットを生成する未使用回線削除手段と、
を有し、
前記受信側伝送装置が、
前記送信側伝送装置との間で使用されない回線に関する受信側未使用回線情報を格納する受信側未使用回線情報格納手段と、
前記送信側伝送装置から受信したパケットが前記未使用回線を削除されたパケットであれば、前記受信側未使用回線情報を参照して当該受信パケットから削除された未使用回線のデータを復元することで規格に準拠したパケットを生成する未使用回線復元手段と、
を有する、
ことを特徴とする伝送システム。
【請求項９】
時分割多重された複数回線を収容したパケットを送信側伝送装置から受信側伝送装置へ伝送する方法であって、
前記送信側伝送装置が、
前記受信側伝送装置との間で使用されない回線に関する送信側未使用回線情報を送信側未使用回線情報格納手段に格納し、
前記送信側未使用回線情報を参照して、受信したパケットから未使用回線を削除することで前記受信側伝送装置へ送信する圧縮パケットを生成し、
前記受信側伝送装置が、
前記送信側伝送装置との間で使用されない回線に関する受信側未使用回線情報を受信側未使用回線情報格納手段に格納し、
前記送信側伝送装置から受信したパケットが前記未使用回線を削除されたパケットであれば、前記受信側未使用回線情報を参照して当該受信パケットから削除された未使用回線のデータを復元することで規格に準拠したパケットを生成する、
ことを特徴とする伝送制御方法。
【請求項１０】
時分割多重された複数回線を収容したパケットを伝送する伝送装置におけるプログラム制御プロセッサに伝送制御機能を実現させるプログラムであって、
送信先の伝送装置との間で使用されない回線に関する未使用回線情報を未使用回線情報格納手段に格納する機能と、
前記未使用回線情報を参照して、受信したパケットから未使用回線を削除することで前記送信先伝送装置へ送信する圧縮パケットを生成する機能と、
を前記プログラム制御プロセッサに実現することを特徴とするプログラム。
【発明の詳細な説明】
【技術分野】
【０００１】
本発明は疑似ワイヤエミュレーション（Pseudo Wire Emulation Edge to Edge；以下「ＰＷＥ３」という。)技術に係り、特に時分割多重（ＴＤＭ：Time Division Multiplexing)信号をイーサネット（Ethernet:登録商標、以下「イーサ」あるいは「Ether」と略記する。）やパケット交換網などの非同期網を通して伝送する装置およびその伝送制御方法に関する。
【背景技術】
【０００２】
ＴＤＭ回線をパケット網などの非同期網で回線エミュレーションする技術が種々提案されている（たとえば特許文献１など）。特に、非特許文献１には、ビットストリームの構造を無視してＴＤＭビットストリーム（Ｔ１，Ｅ１，Ｔ３，Ｅ３）をカプセル化する疑似ワイヤ技術が記載されており、ＳＡＴｏＰ（Structure-Agnostic Time Division Multiplexing (TDM) over Packet：パケット上の構造不可知時分割多重）の仕様が勧告されている。ＳＡＴｏＰでは、ＴＤＭ回線の全てのタイムスロットＴＳがＩＰパケットのペイロードにマッピングされパケット網を通して転送される。以下、図１および図２を参照しながら、ＳＡＴｏＰに関して簡単に説明する。
【０００３】
図１（Ａ）に示すように、ＴＤＭ疑似ワイヤエミュレーション技術により、ＴＤＭパイプがパケット網に形成され、ＴＤＭ回線が擬似的に接続される。ＳＡＴｏＰによれば、図１（Ｂ）に示すように、ＴＤＭ回線のフレーミングビット／バイトを含むＴ１／Ｅ１の全タイムスロットがＩＰパケットのペイロードにマッピングされる。たとえば、ＤＳ０を２４チャンネル束ねたＤＳ１／Ｔ１フレームがそのままペイロードに格納され、パケットヘッダを付加してパケット網へ送出される。なお、Ｔ１フレームは図２（Ａ）に示すフォーマットを有し、Ｅ１フレームは図２（Ｂ）に示すフォーマットを有する。
【先行技術文献】
【特許文献】
【０００４】
【特許文献１】特開２００８−１３５８１９号公報
【非特許文献】
【０００５】
【非特許文献１】Request for Comments: 4553 (Structure-Agnostic Time Division Multiplexing (TDM) over Packet (SAToP), June 2006)
【発明の概要】
【発明が解決しようとする課題】
【０００６】
しかしながら、ＴＤＭ回線において全てのタイムスロットが利用されているとは限らない。このために、未使用回線が存在すると、ペイロードに無意味なデータが格納されることとなり、パケット網におけるデータ転送効率の低下およびネットワーク帯域利用効率の低下を招来する。
【０００７】
本発明の目的は、未使用回線が存在する場合でもパケット転送の効率化およびパケット網の帯域有効利用を達成できる伝送装置および伝送制御方法を提供することにある。
【課題を解決するための手段】
【０００８】
本発明による伝送装置は、時分割多重された複数回線を収容したパケットを伝送する装置であって、送信先の伝送装置との間で使用されない回線に関する未使用回線情報を格納する未使用回線情報格納手段と、前記未使用回線情報を参照して、受信したパケットから未使用回線を削除することで前記送信先伝送装置へ送信する圧縮パケットを生成する未使用回線削除手段と、を有することを特徴とする。
【０００９】
本発明による伝送装置は、時分割多重された複数回線を収容したパケットを伝送する装置であって、送信元の伝送装置との間で使用されない回線に関する未使用回線情報を格納する未使用回線情報格納手段と、送信元の伝送装置から受信したパケットが前記未使用回線を削除されたパケットであれば、前記未使用回線情報を参照して当該受信パケットから削除された未使用回線のデータを復元することで規格に準拠したパケットを生成する未使用回線復元手段と、を有することを特徴とする。
【００１０】
本発明による伝送制御方法は、時分割多重された複数回線を収容したパケットを伝送する伝送装置における伝送制御方法であって、送信先の伝送装置との間で使用されない回線に関する未使用回線情報を未使用回線情報格納手段に格納し、前記未使用回線情報を参照して、受信したパケットから未使用回線を削除することで前記送信先伝送装置へ送信する圧縮パケットを生成する、ことを特徴とする。
【００１１】
本発明による伝送制御方法は、時分割多重された複数回線を収容したパケットを伝送する装置における伝送制御方法であって、送信元の伝送装置との間で使用されない回線に関する未使用回線情報を未使用回線情報格納手段に格納し、送信元の伝送装置から受信したパケットが前記未使用回線を削除されたパケットであれば、前記未使用回線情報を参照して当該受信パケットから削除された未使用回線のデータを復元することで規格に準拠したパケットを生成する、ことを特徴とする。
【００１２】
本発明による伝送システムは、時分割多重された複数回線を収容したパケットを送信側伝送装置から受信側伝送装置へ伝送するシステムであって、前記送信側伝送装置が、前記受信側伝送装置との間で使用されない回線に関する送信側未使用回線情報を格納する送信側未使用回線情報格納手段と、前記送信側未使用回線情報を参照して、受信したパケットから未使用回線を削除することで前記受信側伝送装置へ送信する圧縮パケットを生成する未使用回線削除手段と、を有し、前記受信側伝送装置が、前記送信側伝送装置との間で使用されない回線に関する受信側未使用回線情報を格納する受信側未使用回線情報格納手段と、前記送信側伝送装置から受信したパケットが前記未使用回線を削除されたパケットであれば、前記受信側未使用回線情報を参照して当該受信パケットから削除された未使用回線のデータを復元することで規格に準拠したパケットを生成する未使用回線復元手段と、を有することを特徴とする。
【発明の効果】
【００１３】
本発明によれば、未使用回線が存在する場合でもパケット転送の効率化およびパケット網の帯域有効利用を達成できる。
【図面の簡単な説明】
【００１４】
【図１】（Ａ）はＴＤＭ疑似ワイヤの概念を説明するための模式図、（Ｂ）はＳＡＴｏＰによるタイムスロットとパケットペイロードとの関係を示す模式図である。
【図２】（Ａ）はＴ１フレームフォーマット図、（Ｂ）はＥ１フレームフォーマット図である。
【図３】本発明の一実施形態によるＳＡＴｏＰ伝送システムの機能的構成を示すブロック図である。
【図４】本発明の一実施例によるTDM_over_Ether伝送装置の機能的構成を示すブロック図である。
【図５】（Ａ）は送信側の未使用回線情報を一例を示す模式図であり、（Ｂ）は受信側の未使用回線情報の一例を示す模式図である。
【図６】図４に示す送信側の伝送装置によるEtherフレームの伝送制御動作を示すフローチャートである。
【図７】（Ａ）は未使用回線情報を一例を示す模式図であり、（Ｂ）は圧縮フレームの生成および通常フレームの復元動作を説明するためのフレーム構成を示す模式図である。
【図８】図６に示す送信側伝送装置により生成されるEtherフレームとその制御ワードの構成を示す模式図である。
【図９】図４に示す受信側の伝送装置によるEtherフレームの伝送制御動作を示すフローチャートである。
【図１０】本発明の他の実施例による伝送装置の機能的構成の一例を示すブロック図である。
【発明を実施するための形態】
【００１５】
１．一実施形態
図３に示すように、本発明の一実施形態によるＳＡＴｏＰ伝送システムは、ＴＤＭ疑似ワイヤエミュレーション技術によりパケット網に形成されたＴＤＭｏＰ(TDM over Packet)伝送区間における送信側伝送装置１０と受信側伝送装置２０とを含む。ここでは、送信側伝送装置１０がＴＤＭｏＰ伝送区間３１と３２との間にあり、受信側伝送装置２０がＴＤＭｏＰ伝送区間３２と３３との間にあるものとする。なお、パケット網は非同期網の一例であり、送信側伝送装置１０および受信側伝送装置２０には、本実施形態による伝送装置に関連する機能構成のみが図示されている。
【００１６】
送信側伝送装置１０はＳＡＴｏＰパケットから未使用のＴＤＭ回線に対応するペイロード情報を削除する未使用回線削除部１０１と、当該未使用回線情報を保持する格納部１０２と、を有する。未使用回線削除部１０１は、未使用回線情報格納部１０２の未使用回線情報を参照して、ＴＤＭｏＰ伝送区間３１から受信したＳＡＴｏＰパケットから未使用回線の情報を削除して規格外の圧縮ＳＡＴｏＰパケットを生成しＴＤＭｏＰ伝送区間３２へ送出する。ただし、ここで「パケット」は１つの纏まった情報のブロックを示すものとする。
【００１７】
受信側伝送装置２０は、ＳＡＴｏＰパケットから未使用のＴＤＭ回線に対応するペイロード情報を復元する未使用回線復元部２０１と当該未使用回線情報を保持する格納部２０２とを有する。未使用回線復元部２０１は、未使用回線情報格納部２０２の未使用回線情報を参照して、ＴＤＭｏＰ伝送区間３２から受信した圧縮ＳＡＴｏＰパケットにおける未使用回線の情報を復元し、規格に準拠したＳＡＴｏＰパケットをＴＤＭｏＰ伝送区間３３へ送出する。規格外の圧縮ＳＡＴｏＰパケットと規格準拠ＳＡＴｏＰパケットとは、パケットヘッダの制御情報の一部（たとえばリザーブ領域など）を利用して識別すればよい。
【００１８】
送信側の未使用回線情報格納部１０２と受信側の未使用回線情報格納部２０２にそれぞれ格納された未使用回線情報は同一情報であり、たとえばＴＤＭｏＰ伝送区間の設定時に格納される。通常、回線の新設あるいは変更があった場合、ＳＡＴｏＰ通信を行うためには宛先設定や送信する回線の設定などを送信側および受信側の装置で行う必要があり、この時に未使用回線情報も設定される。
【００１９】
このように、ＴＤＭｏＰ伝送区間において未使用の回線を通常ＳＡＴｏＰパケットから削除して伝送することにより、パケット網内においてＳＡＴｏＰ伝送に要する帯域を低減することができ、ネットワーク帯域の有効利用を達成することができる。
【００２０】
２．一実施例
以下、ＳＡＴｏＰパケットとしてEtherフレームを例示し本発明の一実施例について詳細に説明する。
【００２１】
２．１）構成
図４に示すTDM_over_Etherシステムにおいて、ＴＤＭ伝送区間５１および５２はＴＤＭ伝送方式により通信を行われている通信路を示す。TDM/Ether変換部４１は、ＴＤＭ伝送方式で受信したデータをＰＷＥ３データに変換してTDM_over_Ether伝送区間３１へ送信する一般的な装置をあらわす。また、Ether/TDM変換部４２は、ＰＷＥ３データをＴＤＭ伝送方式のデータに変換してＴＤＭ伝送区間５２へ送信する一般的な装置をあらわす。
【００２２】
TDM_over_Ether伝送区間３１、３２および３３は、擬似ワイヤエミュレーション（ＰＷＥ３）を用いて通信が可能な通信路である。これらのTDM_over_Ether伝送区間３１−３３は、図３に示すＴＤＭｏＰ伝送区間３１−３３にそれぞれ対応するので、同一参照番号を付して説明は省略する。
【００２３】
送信側伝送装置１０および受信側伝送装置２０も図３に示す送信側伝送装置１０および受信側伝送装置２０にそれぞれ対応するので、同一参照番号を付している。すなわち、送信側伝送装置１０は、未使用回線削除部１０１および未使用回線情報格納部１０２を有し、受信側伝送装置２０は、未使用回線復元部２０１および未使用回線情報格納部２０２を有する。送信側機能および受信側機能は、それぞれ独立して並列動作が可能である。
【００２４】
なお、図４では本実施例に関連する機能のみを図示しているが、送信側伝送装置１０の未使用回線削除部１０１は、当該伝送装置１０のＣＰＵ(Central Processing Unit)等のプログラム制御プロセッサ上でプログラムを実行することにより、次に述べる制御と同等の機能を実現することもできる。受信側伝送装置２０の未使用回線復元部２０１についても同様である。
【００２５】
２．２）未使用回線情報
回線を新設あるいは変更した際に、ＳＡＴｏＰ通信を行うためには宛先アドレスや送信する回線などを示す回線設定情報を送信側のTDM/Ether変換部４１と受信側のEther/TDM変換部４２の両方に対して設定する必要がある。この回線設定情報の設定時に、未使用回線情報を送信側伝送装置１０および受信側伝送装置２０に手動であるいは自動的に設定することができる。
【００２６】
図５（Ａ）に例示するように、送信側伝送装置１０の未使用回線情報格納部１０２には、宛先伝送装置の各々に対する未使用回線の識別情報が格納されている。同図において、たとえばアドレスＡの伝送装置との間では回線番号１，１５および１６だけが未使用である。したがって、これらの回線に対応するタイムスロット分だけフレームを圧縮して送信することができる。
【００２７】
図５（Ｂ）に例示するように、受信側伝送装置２０の未使用回線情報格納部２０２には、送信側の伝送装置１０との間で未使用の回線情報が格納されている。同図において、たとえばアドレスＡの伝送装置では、送信側伝送装置１０との間で回線番号１，１５および１６だけが未使用であるから、送信側伝送装置１０から圧縮フレームを受信すれば、これら未使用回線のタイムスロット分を復元して通常のフレームを生成し、Ether/TDM変換部４２へ送信することができる。
【００２８】
送信側伝送装置１０および受信側伝送装置２０の未使用回線情報は、TDM/Ether変換部４１およびEther/TDM変換部４２に対して設定する回線設定情報から自動的に生成することも可能である。たとえば、TDM/Ether変換装置４１と送信側伝送装置１０とが一つの装置に、Ether/TDM変換部４２と受信側伝送装置２０とが一つの装置に、それぞれ収容されているとする。
【００２９】
上述したように、送信側のTDM/Ether変換部４１と受信側のEther/TDM変換部４２とが通信するためには、送信側で宛先ＭＡＣアドレスおよび送信回線情報等が設定され、当該宛先となる受信側で自装置のＭＡＣアドレスと受信回線情報等が設定される。これらの回線設定情報から自動的に未使用回線情報を作成する。すなわち、送信側における各宛先ＭＡＣアドレスに対する送信回線以外の回線を未使用回線としてリスト化する。同様に、受信側でも自装置のＭＡＣアドレスと回線設定情報の送信回線以外の回線を未使用回線としてリスト化する。送信回線は通信ができている限りTDM/Ether変換部４１とEther/TDM変換部４２との回線設定は正しいと判断できるので、未使用回線情報も正しい情報として扱うことができる。
【００３０】
このように送信側と受信側との間で未使用回線情報について同期がとれた状態にある場合、それぞれのEtherフレーム伝送制御について詳述する。
【００３１】
２．３）送信側のEtherフレーム伝送制御
以下、図６〜図８を参照しながら、送信側伝送装置１０におけるEtherフレームの伝送制御動作について説明する。
【００３２】
図６において、送信側伝送装置１０がTDM_over_Ether伝送区間３１から通常の規格準拠Etherフレームを受信すると（ステップ４０１）、プログラム制御プロセッサに実現された未使用回線削除部１０１は、未使用回線情報格納部１０２の未使用回線情報を参照し（ステップ４０２）、未使用回線があるか否かを判定する（ステップ４０３）。未使用回線があれば（ステップ４０３：ＹＥＳ）、受信したEtherフレームから未使用回線に対応するタイムスロット（回線データ）を削除し（ステップ４０４）、さらにフレームの制御情報を書き換えて圧縮Etherフレームを生成する（ステップ４０５）。フレームの制御情報は、圧縮フレームであることを示す情報であればよい。ここではコントロールワード内のリザーブ（ＲＳＶ）領域を固有パターン（たとえば"11"等）に書き換える。
【００３３】
送信側伝送装置１０は、こうして生成された圧縮Etherフレームあるいは未使用回線がない受信Etherフレーム（ステップ４０３：ＮＯ）をTDM_over_Ether伝送区間３２へ送信する（ステップ４０６）。
【００３４】
図７（Ａ）に示すように、宛先となる伝送装置のＭＡＣアドレスごとに未使用回線が設定されているとする。たとえば、宛先ＭＡＣアドレス"00:11:22:33:44:55:66"の宛先伝送装置に対しては、各ＴＤＭフレームの２４個の回線のうちタイムスロット＃１，１５および１６に対応する回線が未使用となっている。そこで、図７（Ｂ）に示すように、タイムスロット＃１，１５および１６の回線データを削除することで圧縮Etherフレームを生成する。その際、図８に示すように、コントロールワード内のリザーブ領域に固有パターン"11"を書き込むことで圧縮Etherフレームであることが識別可能となる。
【００３５】
２．４）受信側のEtherフレーム伝送制御
以下、図９を参照しながら、受信側伝送装置２０におけるEtherフレームの伝送制御動作について説明する。
【００３６】
図９において、受信側伝送装置２０がTDM_over_Ether伝送区間３２から圧縮Etherフレームを受信すると（ステップ５０１）、プログラム制御プロセッサに実現された未使用回線復元部２０１は、受信したフレームのコントロールワード内のリザーブ領域をチェックし当該フレームが圧縮フレームであるか否かを判断する（ステップ５０２）。圧縮フレームであれば（ステップ５０２：ＹＥＳ）、未使用回線復元部２０１は未使用回線情報格納部２０２の未使用回線情報を参照し（ステップ５０３）、未使用回線に対応するタイムスロットの回線データを復元し（ステップ５０４）、さらにフレームのコントロールワード内のリザーブ領域をデフォルト値（“00”等）に戻して通常のＳＡＴｏＰ規格準拠Etherフレームを生成する（ステップ５０５）。
【００３７】
受信側伝送装置２０は、こうして復元されたEtherフレームあるいは通常の受信Etherフレーム（ステップ５０２：ＮＯ）をTDM_over_Ether伝送区間３３へ送信する（ステップ５０６）。
【００３８】
２．５）効果
図７に例示したＴ１のＴＤＭフレームをＰＷＥ３に変換した受信Etherフレームに対して本実施例による伝送処理を行った場合の効果について説明する。
【００３９】
たとえばＴＤＭフレームがＴ１フレームであれば全２４回線を１フレームに収容しているが、実際に使用している回線は２１回線のみで他の３回線は未使用であるとする（ここでは、図７（Ａ）にしめすようにタイムスロット番号１６，１５，１）。このＴＤＭフレームのサイズは、８bit × ２４回線 ＋ １bit(フレーミングビット) ＝ １９３bitとなる。
【００４０】
図７（Ｂ）に示すように、TDM/Ether変換部４１が１つのEtherフレームにつき２つのＴＤＭフレームを収容する変換を行った場合、上記のＴＤＭフレーム(193bit)に、コントロールワード(32bit)、Etherヘッダ(112bit)、FCS(32bit)およびフレーミングビットにバイト（byte）単位にするためのダミーデータ（７bit × ２）が加わり、合計５７６bit（７２バイト）のEtherフレーム（規格準拠）となる。このフレームから未使用回線（３回線／ＴＤＭフレーム）を削除することにより、５７６bit − ８bit × ６回線（２フレームの未使用回線) ＝ ５２８bit（６６バイト）にフレームサイズを圧縮することができる。フレームサイズが圧縮された圧縮Etherフレームを利用することにより、帯域の有効利用が可能となる。
【００４１】
特許文献１に開示された回線エミュレーション装置はＴＤＭフレームからEtherフレームに変換する際に未使用回線を削除する方式であるから、すでにTDM over Etherフレームに変換されたフレームについて対応することができない。これに対して、本実施例によれば、TDM over Etherフレームの内部の未使用回線を削除可能である。そのため、既存の装置を置き換える必要がなく、伝送区間の始点と終点に本実施例による伝送装置１０および２０を追加するだけで帯域の有効利用が可能となる。
【００４２】
３．他の実施例
図１０に示すように、本発明の他の実施例によるＳＡＴｏＰ伝送装置６０はＡＳＴｏＰ伝送区間６１および６２の間にあってＳＡＴｏＰパケットを送受信する。具体的には、受信部６０１、未使用回線削除部６０２および送信部６０３からなる送信系と、受信部６０４、未使用回線復元部６０５および送信部６０６からなる受信系と、通信相手であるＳＡＴｏＰ伝送装置６３との間で予め定められた未使用回線情報を格納する未使用回線情報メモリ６０７と、ＳＡＴｏＰ伝送装置６０の動作を制御するための制御部６０８とを備えることもできる。この場合、未使用回線削除部６０２および未使用回線復元部６０５の動作は、上述した上述した送信側伝送装置１０の未使用回線削除部１０１および受信側伝送装置２０の未使用回線復元部２０１と基本的に同様であるから説明は省略する。
【００４３】
４．付記
上述した実施形態の一部あるいは全部は、以下の付記のようにも記載されうるが、これらに限定されるものではない。
【００４４】
（付記１）
時分割多重された複数回線を収容したパケットを伝送する装置であって、
送信先の伝送装置との間で使用されない回線に関する未使用回線情報を格納する未使用回線情報格納手段と、
前記未使用回線情報を参照して、受信したパケットから未使用回線を削除することで前記送信先伝送装置へ送信する圧縮パケットを生成する未使用回線削除手段と、
を有することを特徴とする伝送装置。
【００４５】
（付記２）
前記未使用回線情報は送信先伝送装置ごとに予め設定された未使用回線を示す情報であることを特徴とする付記１に記載の伝送装置。
【００４６】
（付記３）
前記未使用回線情報は、疑似回線エミュレーション装置間で設定された回線情報に基づいて決定されることを特徴とする付記１または２に記載の伝送装置。
【００４７】
（付記４）
時分割多重された複数回線を収容したパケットを伝送する装置であって、
送信元の伝送装置との間で使用されない回線に関する未使用回線情報を格納する未使用回線情報格納手段と、
送信元の伝送装置から受信したパケットが前記未使用回線を削除されたパケットであれば、前記未使用回線情報を参照して当該受信パケットから削除された未使用回線のデータを復元することで規格に準拠したパケットを生成する未使用回線復元手段と、
を有することを特徴とする伝送装置。
【００４８】
（付記５）
前記未使用回線情報は、疑似回線エミュレーション装置間で設定された回線情報に基づいて決定されることを特徴とする付記４に記載の伝送装置。
【００４９】
（付記６）
時分割多重された複数回線を収容したパケットを伝送する伝送装置における伝送制御方法であって、
送信先の伝送装置との間で使用されない回線に関する未使用回線情報を未使用回線情報格納手段に格納し、
前記未使用回線情報を参照して、受信したパケットから未使用回線を削除することで前記送信先伝送装置へ送信する圧縮パケットを生成する、
ことを特徴とする伝送制御方法。
【００５０】
（付記７）
前記未使用回線情報は送信先伝送装置ごとに予め設定された未使用回線を示す情報であることを特徴とする付記６に記載の伝送制御方法。
【００５１】
（付記８）
前記未使用回線情報は、疑似回線エミュレーション装置間で設定された回線情報に基づいて決定されることを特徴とする付記６または７に記載の伝送制御方法。
【００５２】
（付記９）
時分割多重された複数回線を収容したパケットを伝送する装置における伝送制御方法であって、
送信元の伝送装置との間で使用されない回線に関する未使用回線情報を未使用回線情報格納手段に格納し、
送信元の伝送装置から受信したパケットが前記未使用回線を削除されたパケットであれば、前記未使用回線情報を参照して当該受信パケットから削除された未使用回線のデータを復元することで規格に準拠したパケットを生成する、
ことを特徴とする伝送制御方法。
【００５３】
（付記１０）
前記未使用回線情報は、疑似回線エミュレーション装置間で設定された回線情報に基づいて決定されることを特徴とする付記９に記載の伝送制御方法。
【００５４】
（付記１１）
時分割多重された複数回線を収容したパケットを送信側伝送装置から受信側伝送装置へ伝送するシステムであって、
前記送信側伝送装置が、
前記受信側伝送装置との間で使用されない回線に関する送信側未使用回線情報を格納する送信側未使用回線情報格納手段と、
前記送信側未使用回線情報を参照して、受信したパケットから未使用回線を削除することで前記受信側伝送装置へ送信する圧縮パケットを生成する未使用回線削除手段と、
を有し、
前記受信側伝送装置が、
前記送信側伝送装置との間で使用されない回線に関する受信側未使用回線情報を格納する受信側未使用回線情報格納手段と、
前記送信側伝送装置から受信したパケットが前記未使用回線を削除されたパケットであれば、前記受信側未使用回線情報を参照して当該受信パケットから削除された未使用回線のデータを復元することで規格に準拠したパケットを生成する未使用回線復元手段と、
を有する、
ことを特徴とする伝送システム。
【００５５】
（付記１２）
前記送信側未使用回線情報は前記受信側伝送装置ごとに予め設定された未使用回線を示す情報であることを特徴とする付記１１に記載の伝送システム。
【００５６】
（付記１３）
前記送信側未使用回線情報および前記受信側未使用回線情報は、疑似回線エミュレーション装置間で設定された回線情報に基づいて決定されることを特徴とする付記１１または１２に記載の伝送システム。
【００５７】
（付記１４）
時分割多重された複数回線を収容したパケットを送信側伝送装置から受信側伝送装置へ伝送する方法であって、
前記送信側伝送装置が、
前記受信側伝送装置との間で使用されない回線に関する送信側未使用回線情報を送信側未使用回線情報格納手段に格納し、
前記送信側未使用回線情報を参照して、受信したパケットから未使用回線を削除することで前記受信側伝送装置へ送信する圧縮パケットを生成し、
前記受信側伝送装置が、
前記送信側伝送装置との間で使用されない回線に関する受信側未使用回線情報を受信側未使用回線情報格納手段に格納し、
前記送信側伝送装置から受信したパケットが前記未使用回線を削除されたパケットであれば、前記受信側未使用回線情報を参照して当該受信パケットから削除された未使用回線のデータを復元することで規格に準拠したパケットを生成する、
ことを特徴とする伝送制御方法。
【００５８】
（付記１５）
前記送信側未使用回線情報は前記受信側伝送装置ごとに予め設定された未使用回線を示す情報であることを特徴とする付記１４に記載の伝送制御方法。
【００５９】
（付記１６）
前記送信側未使用回線情報および前記受信側未使用回線情報は、疑似回線エミュレーション装置間で設定された回線情報に基づいて決定されることを特徴とする付記１４または１５に記載の伝送制御方法。
【００６０】
（付記１７）
時分割多重された複数回線を収容したパケットを伝送する伝送装置におけるプログラム制御プロセッサに伝送制御機能を実現させるプログラムであって、
送信先の伝送装置との間で使用されない回線に関する未使用回線情報を未使用回線情報格納手段に格納する機能と、
前記未使用回線情報を参照して、受信したパケットから未使用回線を削除することで前記送信先伝送装置へ送信する圧縮パケットを生成する機能と、
を前記プログラム制御プロセッサに実現することを特徴とするプログラム。
【００６１】
（付記１８）
前記未使用回線情報は送信先伝送装置ごとに予め設定された未使用回線を示す情報であることを特徴とする付記１７に記載のプログラム。
【００６２】
（付記１９）
前記未使用回線情報は、疑似回線エミュレーション装置間で設定された回線情報に基づいて決定されることを特徴とする付記１７または１８に記載のプログラム。
【００６３】
（付記２０）
時分割多重された複数回線を収容したパケットを伝送する装置におけるプログラム制御プロセッサに伝送制御機能を実現させるプログラムであって、
送信元の伝送装置との間で使用されない回線に関する未使用回線情報を未使用回線情報格納手段に格納する機能と、
送信元の伝送装置から受信したパケットが前記未使用回線を削除されたパケットであれば、前記未使用回線情報を参照して当該受信パケットから削除された未使用回線のデータを復元することで規格に準拠したパケットを生成する機能と、
を前記プログラム制御プロセッサに実現することを特徴とするプログラム。
【００６４】
（付記２１）
前記未使用回線情報は、疑似回線エミュレーション装置間で設定された回線情報に基づいて決定されることを特徴とする付記２０に記載のプログラム。
【産業上の利用可能性】
【００６５】
本発明はＳＡＴｏＰ伝送システムにおける伝送装置に適用することができる。
【符号の説明】
【００６６】
１０  送信側伝送装置
２０  受信側伝送装置
３１−３３  ＴＤＭｏＰ伝送区間
４１  TDM/Ether変換部
４２  Ether/TDM変換部
５１，５２  ＴＤＭ伝送区間
１０１  未使用回線削除部
１０２  未使用回線情報格納部
２０１  未使用回線復元部
２０２  未使用回線情報格納部
【図１】
2011234162.tif 000003
【図２】
2011234162.tif 000004
【図３】
2011234162.tif 000005
【図４】
2011234162.tif 000006
【図５】
2011234162.tif 000007
【図６】
2011234162.tif 000008
【図７】
2011234162.tif 000009
【図８】
2011234162.tif 000010
【図９】
2011234162.tif 000011
【図１０】
2011234162.tif 000012